(57)【要約】【課題】複数の吹出口を有する構成において、各吹出口から所望の風量で空気を吹き出すことが可能なダクト構造を提供する。【解決手段】空調ダクト３２は第１方向Ｘに延びる第１ダクト部３５と、第１ダクト部３５から第１方向Ｘと交差する第２方向Ｙに延びる第２ダクト部３６とを有する。第２ダクト部３６には複数の吹出口３８ｂ〜３８ｄが設けられ、吹出口３８ｂが第２ダクト部３６においてその内部通路４１を挟んで対向する各側壁部４２ａ，４２ｂのうち、第１方向Ｘ上流側の側壁部４２ａに、吹出口３８ｄが第１方向Ｘ下流側の側壁部４２ｂに設けられている。第２ダクト部３６の内部通路４１には、当該通路４１を吹出口３８ｂに通じる上流側の第１空間部５１と、吹出口３８ｃ，３８ｄに通じる下流側の第２空間部５２とに仕切る仕切部材５０が設けられ、その仕切部材５０には、第１空間部５１と第２空間部５２とを連通する通気孔５５が設けられている。【選択図】      図４
2018194250.tif 000002
【特許請求の範囲】
【請求項１】
屋内空間の空調又は換気に用いる空気を流すための通気ダクトと、
その通気ダクトに設けられ、前記空気を前記屋内空間に吹き出す吹出口と、を備え、
前記通気ダクトは、前記吹出口としての第１吹出口及び第２吹出口が設けられた所定ダクト部を有しており、
前記第１吹出口は、前記所定ダクト部においてその内部空間であるダクト内空間を囲む周壁部に設けられており、
前記ダクト内空間には、当該ダクト内空間を、前記第１吹出口に通じる上流側の第１空間部と前記第２吹出口に通じる下流側の第２空間部とに仕切る板状の仕切部材が設けられており、
前記仕切部材には、前記第１空間部と前記第２空間部とを連通する通気孔が設けられていることを特徴とするダクト構造。
【請求項２】
前記所定ダクト部は、前記周壁部の一部であってかつ前記ダクト内空間を挟んで対向する一対の対向壁部を有しており、
前記各対向壁部のうち一方の対向壁部に前記第１吹出口が設けられており、
前記仕切部材は、前記ダクト内空間において他方の対向壁部の側から前記一方の対向壁部の側に向かうにつれ前記ダクト内空間の上流側から下流側へ変位するように設けられていることを特徴とする請求項１に記載のダクト構造。
【請求項３】
前記通気ダクトは、所定方向に延びる第１ダクト部と、その第１ダクト部から前記所定方向と交差する方向に延びる前記所定ダクト部としての第２ダクト部とを有しており、
前記第２ダクト部には、前記第１ダクト部から前記空気が流れ込むようになっており、
前記第２ダクト部は、前記周壁部の一部であってかつ前記ダクト内空間を挟んで前記所定方向に対向する一対の対向壁部を有しており、
前記各対向壁部のうち、前記所定方向における前記第１ダクト部の上流側に位置する対向壁部に前記第１吹出口が設けられており、
前記第２ダクト部の前記ダクト内空間は、前記仕切部材によって、前記第１ダクト部の内部空間と連続する上流側の前記第１空間部と、前記第１ダクト部の内部空間と連続しない下流側の前記第２空間部とに仕切られていることを特徴とする請求項１又は２に記載のダクト構造。
【請求項４】
前記第２吹出口は、前記各対向壁部のうち、前記所定方向における前記第１ダクト部の下流側に位置する対向壁部に設けられていることを特徴とする請求項３に記載のダクト構造。
【請求項５】
前記交差する方向における前記第１吹出口と前記第１ダクト部との離間距離が、当該交差する方向における前記第１ダクト部の長さよりも小さくなっていることを特徴とする請求項３又は４に記載のダクト構造。
【請求項６】
前記第２吹出口は、前記各対向壁部のうち、前記所定方向における前記第１ダクト部の下流側に位置する対向壁部に設けられ、かつ前記第１吹出口と前記ダクト内空間を挟んで対向しており、
前記仕切部材は、前記ダクト内空間において前記第２吹出口が設けられた前記対向壁部の側から前記第１吹出口から設けられた前記対向壁部の側に向かうにつれ前記ダクト内空間の上流側から下流側へ変位するよう、前記対向壁部に対し斜めに設けられていることを特徴とする請求項５に記載のダクト構造。
【請求項７】
前記第２ダクト部は、前記交差する方向の長さが前記第１ダクト部の同方向の長さと同じか又はそれよりも小さくされており、
前記第２ダクト部は、その下流側の端部を構成し、かつ前記周壁部とともに前記ダクト内空間を区画する端壁部を有しており、
前記第２吹出口は、前記他方の対向壁部に加え前記端壁部にも設けられており、
前記第２空間部は、前記各第２吹出口に通じる空間となっていることを特徴とする請求項６に記載のダクト構造。
【請求項８】
前記第１ダクト部は、前記第２ダクト部が連結された連結部よりも前記所定方向の下流側に延びていることを特徴とする請求項３乃至７のいずれか一項に記載のダクト構造。
【請求項９】
前記通気ダクトは、前記空気の流れる空気流通方向に分割された複数の分割ダクト部を有し、それら各分割ダクト部が互いに連結されることで構成され、
前記各分割ダクト部のうちいずれかの分割ダクト部により前記所定ダクト部が構成されていることを特徴とする請求項１乃至８のいずれか一項に記載のダクト構造。
【発明の詳細な説明】
【技術分野】
【０００１】
本発明は、ダクト構造に関する。
【背景技術】
【０００２】
住宅等の建物に設けられる空調設備として、空調装置により生成される空調空気を流す空調ダクトと、その空調ダクトを流れる空調空気を空調対象である屋内空間に向けて吹き出す複数の吹出口とを備えたものがある（例えば特許文献１参照）。かかる空調設備では、各吹出口から吹き出す空調空気によって屋内空間の空調（冷暖房）が行われるようになっている。
【先行技術文献】
【特許文献】
【０００３】
【特許文献１】特開２０１５−１５２２８９号公報
【発明の概要】
【発明が解決しようとする課題】
【０００４】
ところで、空調ダクトには、その途中に曲げ部を有しているものがある。この場合、空調ダクトは、所定方向に延びる第１ダクト部と、その第１ダクト部から所定方向と交差する方向に延びる第２ダクト部とを有して形成される。こうした空調ダクトにおいて、第２ダクト部に複数の吹出口が設けられる場合が考えられる。例えば、第２ダクト部において、所定方向に対向する各対向壁部にそれぞれ吹出口が設けられる場合が考えられる。
【０００５】
ここで、かかる空調ダクトでは、第１ダクト部にて所定方向に流れる空調空気が第２ダクト部に流れ込むことになる。そのため、その流れ込んだ空調空気が第２ダクト部において所定方向における第１ダクト部の下流側に偏って流れる（つまり偏流する）ことが考えられる。そうすると、各吹出口のうち、所定方向における第１ダクト部下流側に位置する吹出口からは空調空気が多く吹き出される一方、第１ダクト部上流側に位置する吹出口からは空調空気が少ししか吹き出されない等、各吹出口から吹き出される空調空気の吹出量（風量）に不均一が生じることが考えられる。
【０００６】
また、こうした問題は、曲げ部を有する空調ダクトにおいてのみ生じる問題ではなく、ダクト内で空調空気の偏流が生じる空調ダクトにおいて共通に生じうる問題である。
【０００７】
さらに、こうした問題は、空調ダクトに限らず、換気用の空気を流す換気ダクトにおいても同様に生じうる問題である。換気ダクトにも、換気用の空気を吹き出す吹出口が複数設けられる場合があり、その場合にも偏流が生じていると各吹出口から吹き出す空気の風量に不均一が生じることが考えられる。
【０００８】
本発明は、上記事情に鑑みてなされたものであり、複数の吹出口を有する構成において、各吹出口から所望の風量で空気を吹き出すことが可能なダクト構造を提供することを主たる目的とするものである。
【課題を解決するための手段】
【０００９】
上記課題を解決すべく、第１の発明のダクト構造は、屋内空間の空調又は換気に用いる空気を流すための通気ダクトと、その通気ダクトに設けられ、前記空気を前記屋内空間に吹き出す吹出口と、を備え、前記通気ダクトは、前記吹出口としての第１吹出口及び第２吹出口が設けられた所定ダクト部を有しており、前記第１吹出口は、前記所定ダクト部においてその内部空間であるダクト内空間を囲む周壁部に設けられており、前記ダクト内空間には、当該ダクト内空間を、前記第１吹出口に通じる上流側の第１空間部と前記第２吹出口に通じる下流側の第２空間部とに仕切る板状の仕切部材が設けられており、前記仕切部材には、前記第１空間部と前記第２空間部とを連通する通気孔が設けられていることを特徴とする。
【００１０】
本発明によれば、通気ダクトにおいて、その所定ダクト部に第１吹出口及び第２吹出口が設けられ、その所定ダクト部のダクト内空間が、仕切部材により、第１吹出口に通じる上流側の第１空間部と、第２吹出口に通じる下流側の第２空間部とに仕切られている。この場合、ダクト内空間（第１空間部）において上流側から下流側に向けて流れる空気は仕切部材に当たって第１吹出口へと導かれることになる。そのため、ダクト内空間において空気が第１吹出口から離間した側に偏って流れる（つまり偏流が生じる）際にも、その空気を第１吹出口へ導いて同吹出口より屋内空間に吹き出させることができる。
【００１１】
また、仕切部材には、第１空間部と第２空間部とを連通する通気孔が設けられているため、一部の空気についてはその通気孔を介して第２空間部へ導くことができる。そのため、その一部の空気については第２吹出口より屋内空間に吹き出させることができる。これにより、複数の吹出口を有する構成にあって、それら各吹出口より所望の風量で空気を吹き出すことが可能となる。
【００１２】
第２の発明のダクト構造は、第１の発明において、前記所定ダクト部は、前記周壁部の一部であってかつ前記ダクト内空間を挟んで対向する一対の対向壁部を有しており、前記各対向壁部のうち一方の対向壁部に前記第１吹出口が設けられており、前記仕切部材は、前記ダクト内空間において他方の対向壁部の側から前記一方の対向壁部の側に向かうにつれ前記ダクト内空間の上流側から下流側へ変位するように設けられていることを特徴とする。
【００１３】
本発明によれば、仕切部材が、ダクト内空間を挟んで対向する各対向壁部のうち、第１吹出口が設けられていない他方の対向壁部の側から、第１吹出口が設けられている一方の対向壁部の側に向かうにつれ、上流側から下流側に変位するように設けられている。この場合、ダクト内空間において空気が第１吹出口から離間した側（つまり他方の対向壁部の側）に偏流する際にも、その空気を仕切部材に沿って第１吹出口の側（つまり一方の対向壁部の側）に円滑に導くことができる。そのため、第１吹出口からの吹出量（風量）の低下を好適に抑制することができる。
【００１４】
第３の発明のダクト構造は、第１又は第２の発明において、前記通気ダクトは、所定方向に延びる第１ダクト部と、その第１ダクト部から前記所定方向と交差する方向に延びる前記所定ダクト部としての第２ダクト部とを有しており、前記第２ダクト部には、前記第１ダクト部から前記空気が流れ込むようになっており、前記第２ダクト部は、前記周壁部の一部であってかつ前記ダクト内空間を挟んで前記所定方向に対向する一対の対向壁部を有しており、前記各対向壁部のうち、前記所定方向における前記第１ダクト部の上流側に位置する対向壁部に前記第１吹出口が設けられており、前記第２ダクト部の前記ダクト内空間は、前記仕切部材によって、前記第１ダクト部の内部空間と連続する上流側の前記第１空間部と、前記第１ダクト部の内部空間と連続しない下流側の前記第２空間部とに仕切られていることを特徴とする。
【００１５】
本発明によれば、通気ダクトが、第１ダクト部と、その第１ダクト部と交差する方向に延びる第２ダクト部とを有しており、その第２ダクト部に第１吹出口及び第２吹出口が設けられている。この場合、第１ダクト部から第２ダクト部へ空気が流れ、その流れた空気が第２ダクト部の各吹出口より吹き出される。
【００１６】
ここで、第１ダクト部では所定方向に空気が流れるため、その第１ダクト部から空気が第２ダクト部に流れ込むと、その空気は第２ダクト部（ダクト内空間）において所定方向における第１ダクト部の下流側に偏って流れる（つまり偏流する）ことが考えられる。そのため、この場合、第２ダクト部において所定方向に対向する各対向壁部のうち、所定方向上流側の対向壁部に設けられた吹出口（第１吹出口）からの風量が少なくなることが考えられる。
【００１７】
そこで、本発明では、こうした構成において、第２ダクト部の内部（ダクト内空間）に仕切部材を設け、その仕切部材により、第２ダクト部（ダクト内空間の第１空間部）に流れ込む空気を第１吹出口の側に導くようにしている。これにより、第２ダクト部にて偏流が生じる構成にあっても、第２ダクト部の各吹出口から所望の風量で空気を吹き出すことが可能となる。
【００１８】
第４の発明のダクト構造は、第３の発明において、前記第２吹出口は、前記各対向壁部のうち、前記所定方向における前記第１ダクト部の下流側に位置する対向壁部に設けられていることを特徴とする。
【００１９】
上述したように、第２ダクト部においては、空気が所定方向における第１ダクト部の下流側に偏って流れる（つまり偏流する）ことが考えられるため、第２ダクト部において所定方向に対向する各対向壁部のうち、第１ダクト部下流側に位置する対向壁部に吹出口（第２吹出口）が設けられていると、その第２吹出口からの空気の吹出量（風量）が多くなると考えられる。その点本発明では、仕切部材により、第２ダクト部に流れ込む空気を第１吹出口の側に導くようにしているため、第２吹出口から吹き出す空気の風量をその分低減させることができる。そのため、こうした構成にあっても、各吹出口から吹き出す空気の風量を同程度とすることができる。
【００２０】
第５の発明のダクト構造は、第３又は第４の発明において、前記交差する方向における前記第１吹出口と前記第１ダクト部との離間距離が、当該交差する方向における前記第１ダクト部の長さよりも小さくなっていることを特徴とする。
【００２１】
第１ダクト部から第２ダクト部に流れ込む空気は当該第２ダクト部に流れ込んだ直後において特に偏流が生じ易いと考えられる。そのため、第１吹出口が第２ダクト部において第１ダクト部付近に設けられている場合には、第１吹出口からの空気の吹出量（風量）が著しく少なくなるおそれがある。その点本発明では、こうした構成に、上記第３の発明を適用しているため、かかる場合にも、各吹出口から所望の風量で空気を吹き出すことが可能となる。
【００２２】
第６の発明のダクト構造は、第５の発明において、前記第２吹出口は、前記各対向壁部のうち、前記所定方向における前記第１ダクト部の下流側に位置する対向壁部に設けられ、かつ前記第１吹出口と前記ダクト内空間を挟んで対向しており、前記仕切部材は、前記ダクト内空間において前記第２吹出口が設けられた前記対向壁部の側から前記第１吹出口から設けられた前記対向壁部の側に向かうにつれ前記ダクト内空間の上流側から下流側へ変位するよう、前記対向壁部に対し斜めに設けられていることを特徴とする。
【００２３】
本発明では、第２吹出口が第１吹出口とダクト内空間を挟んで対向配置されている。この場合、第１吹出口に加え、第２吹出口も偏流が生じ易い箇所に配置され、そのため、第２吹出口からの空気の吹出量（風量）が著しく多くなることが考えられる。その点本発明では、こうした構成に、上記第３の発明を適用しているため、かかる場合にも、各吹出口から所望の風量で空気を吹き出すことが可能となる。また、仕切部材が対向壁部に対して斜めに設けられているため、上記第２の発明と同様の効果を得ることもできる。
【００２４】
第７の発明のダクト構造は、第６の発明において、前記第２ダクト部は、前記交差する方向の長さが前記第１ダクト部の同方向の長さと同じか又はそれよりも小さくされており、前記第２ダクト部は、その下流側の端部を構成し、かつ前記周壁部とともに前記ダクト内空間を区画する端壁部を有しており、前記第２吹出口は、前記他方の対向壁部に加え前記端壁部にも設けられており、前記第２空間部は、前記各第２吹出口に通じる空間となっていることを特徴とする。
【００２５】
本発明によれば、第２吹出口が、第２ダクト部の対向壁部に設けられていることに加え、第２ダクト部において下流側の端部を構成する端壁部にも設けられている。この場合、第２吹出口が２つ設けられていることから、これら各吹出口から吹き出す空気の吹出量が多くなって、第１吹出口からの空気の吹出量がその分少なくなることが考えられる。その点本発明では、こうした構成にあって、第２ダクト部の内部空間（ダクト内空間）を、仕切部材により、第１吹出口に通じる第１空間部と、各第２吹出口に通じる第２空間部とに仕切っているため、３つの吹出口を有する構成にあって、各吹出口から所望の風量で空気を吹き出すことが可能となる。
【００２６】
第８の発明のダクト構造は、第３乃至第７のいずれかの発明において、前記第１ダクト部は、前記第２ダクト部が連結された連結部よりも前記所定方向の下流側に延びていることを特徴とする。
【００２７】
本発明では、第１ダクト部が第２ダクト部との連結部よりも所定方向の下流側に延びており、換言すると第２ダクト部が第１ダクト部から分岐して設けられている。こうした構成では、第１ダクト部に第２ダクト部との連結部よりも所定方向下流側へ向けた空気の流れが生じているため、第２ダクト部において第１ダクト部下流側への偏流が生じ易くなると考えられる。その点本発明では、こうした構成に上記第３の発明を適用しているため、かかる場合にも、各吹出口から所望の風量で空気を吹き出すことが可能となる。
【００２８】
第９の発明のダクト構造は、第１乃至第８のいずれかの発明において、前記通気ダクトは、前記空気の流れる空気流通方向に分割された複数の分割ダクト部を有し、それら各分割ダクト部が互いに連結されることで構成され、前記各分割ダクト部のうちいずれかの分割ダクト部により前記所定ダクト部が構成されていることを特徴とする。
【００２９】
本発明によれば、通気ダクトが複数の分割ダクト部に分割され、そのうちいずれかの分割ダクト部により所定ダクト部が構成されている。つまり、この場合、いずれかの分割ダクト部に、各吹出口と仕切部材とが設けられている。この場合、仕切部材をダクト内に配設する際には、分割ダクト部の内部に配設すればよいため、仕切部材の配設作業を容易とすることができる。
【図面の簡単な説明】
【００３０】
【図１】建物内の間取りを示す平面図。
【図２】建物内の構成を示す概略縦断面図。
【図３】空調設備の設置構成を示す平面図。
【図４】空調ダクトの一部を拡大して示す横断面図。
【図５】図３のＡ−Ａ線断面図。
【発明を実施するための形態】
【００３１】
以下に、本発明を具体化した一実施の形態について図面を参照しつつ説明する。なお、図１は建物内の間取りを示す平面図であり、図２は建物内の構成を示す概略縦断面図である。また、図２は図１のＡ−Ａ線断面図に相当する。
【００３２】
図１に示すように、住宅等の建物１０には、屋内空間として、居室１１，１２と、寝室１３と、機械室１４と、廊下１５とが設けられている。廊下１５は、各居室１１，１２と寝室１３と機械室１４とにそれぞれ通じており、それら各室１１〜１４へは廊下１５から出入口１７ａ〜１７ｄを介して出入りが可能となっている。
【００３３】
図２に示すように、廊下１５の天井部には、上下２つの天井面材２１，２２が設けられている。これらの天井面材２１，２２のうち、天井面材２１は通常の天井高さに配置され、天井面材２２は上記天井面材２１の下方に配置されて下がり天井となっている。廊下１５では、天井面材２２（下がり天井）により天井面が形成され、その天井高さが他の屋内空間よりも低くなっている。また、天井面材２２の上方には天井裏空間２４が形成されている。天井裏空間２４は、天井面材２２とその上方の天井面材２１との間に形成され、天井面材２２により廊下１５と上下に仕切られている。なお、天井面材２１の上方には、陸屋根からなる屋根部２５が設けられている。
【００３４】
建物１０には、屋内空間の空調を行うための空調設備３０が設けられている。空調設備３０は、共通の空調装置により複数の屋内空間を空調対象として空調を行ういわゆる全館式の空調設備となっている。以下においては、この空調設備３０の構成について図２に加え図３に基づいて説明する。図３は、空調設備３０の設置構成を示す平面図である。
【００３５】
図２及び図３に示すように、空調設備３０は、空調空気を生成する空調装置３１と、空調装置３１に接続された空調ダクト３２とを備える。空調装置３１は、機械室１４に設置された室内機として構成されている。空調装置３１は、機械室１４の空気を取り込み、その取り込んだ空気を温度調整することで空調空気（冷気又は暖気）を生成する。そして、空調装置３１は、その生成した空調空気を空調ダクト３２へ供給する。
【００３６】
空調ダクト３２は、廊下１５上方の天井裏空間２４に設置されている。空調ダクト３２は、天井裏空間２４において横向きに配置され、廊下１５（の通行方向）に沿って延びている。空調ダクト３２は、所定方向（以下、第１方向Ｘともいう）に延びる第１ダクト部３５と、その第１ダクト部３５から所定方向と交差（直交）する方向（以下、第２方向Ｙともいう）に延びる第２ダクト部３６とを有する。なお、空調ダクト３２が通気ダクトに相当する。
【００３７】
第１ダクト部３５は、その長さ（第１方向Ｘの長さ）が第２ダクト部３６の長さ（第２方向Ｙの長さ）よりも長くなっている。第１ダクト部３５は、その長手方向（第１方向Ｘ）の一端部が空調装置３１に接続ダクト３４を介して接続されている。第２ダクト部３６は、第１ダクト部３５における第１方向Ｘの上流側（空調装置３１側）に連結されている。この場合、第２ダクト部３６は、第１ダクト部３５から分岐させて設けられている。これにより、空調ダクト３２には、空調空気の流れる通気経路として、第１ダクト部３５を第１方向Ｘに沿って流れる経路と、第１ダクト部３５から第２ダクト部３６に流れ込む経路とが存在している（図３の破線矢印参照）。
【００３８】
空調ダクト３２には、ダクト３２内を流れる空調空気を屋内空間に吹き出す吹出口３８が設けられている。吹出口３８は、空調ダクト３２内を側方に開口させる開口として形成され、空調ダクト３２に複数設けられている。それら複数の吹出口３８には、第１ダクト部３５に設けられた吹出口３８ａと、第２ダクト部３６に設けられた吹出口３８ｂ〜３８ｄとがある。吹出口３８ａは、空調空気を居室１２に向けて吹き出すものであり、吹出口３８ｂ，３８ｃは空調空気を居室１１に向けて吹き出すものであり、吹出口３８ｄは空調空気を寝室１３に向けて吹き出すものである。これら各吹出口３８ａ〜３８ｄから空調空気が吹き出されると、それら吹き出された空調空気により各居室１１，１２及び寝室１３の空調（冷房又は暖房）が行われる。
【００３９】
ちなみに、各居室１１，１２及び寝室１３に吹き出された空調空気は、各出入口１７ａ〜１７ｃに設けられたドア下の隙間（アンダーカット部）を通じて廊下１５に流れ、その後、廊下１５から出入口１７ｄに設けられたドア下の隙間（アンダーカット部）を通じて機械室１４に流れ込む（還流する）。そして、空調装置３１は、その機械室１４に還流した空気を取り込んで空調空気を生成する。
【００４０】
続いて、空調ダクト３２の構成について図２及び図３に加え図４を用いながら詳しく説明する。図４は、空調ダクト３２の一部を拡大して示す横断面図である。
【００４１】
図２〜図４に示すように、空調ダクト３２は、空調空気の流れる空気流通方向（通気経路方向）に分割された複数の分割ダクト部４０を有している。空調ダクト３２は、それら分割ダクト部４０が互いに連結されることにより構成されている。各分割ダクト部４０は、断熱性能に優れたポリスチレンフォーム等の発泡スチロールにより形成されている。各分割ダクト部４０は、直方体状に形成され、平面視にて正方形状をなしている。本実施形態では、各分割ダクト部４０がいずれも略同じ大きさで形成されている。なお、分割ダクト部４０は必ずしも発泡スチロールで形成する必要はなく、他の樹脂材料により形成してもよい。また、金属材料や木製材料等、樹脂材料以外の材料で形成してもよい。
【００４２】
複数の分割ダクト部４０には、第１ダクト部３５を構成する分割ダクト部４０ａと、第２ダクト部３６を構成する分割ダクト部４０ｂとが含まれている。分割ダクト部４０ａは、第１ダクト部３５の長手方向に沿って複数並べられ、それら複数の分割ダクト部４０ａにより第１ダクト部３５が構成されている。一方、分割ダクト部４０ｂは、各分割ダクト部４０ａのうち最も上流側に配置された分割ダクト部４０ａに第２方向Ｙにて隣接させて１つだけ配置され、その１つの分割ダクト部４０ｂにより第２ダクト部３６が構成されている。
【００４３】
各分割ダクト部４０は、空調空気が流れる内部通路４１と、その内部通路４１を区画する壁部４２とを有している。各分割ダクト部４０は、他の分割ダクト部４０と隣接する隣接部に開口部４４を有している。詳しくは、各分割ダクト部４０において上記隣接部には壁部４２が設けられておらず、それにより開口部４４が形成されている。隣接する各分割ダクト部４０は互いの開口部４４を連続させて配置され、それにより、それら各開口部４４を通じて各分割ダクト部４０の内部通路４１が連通されている。そして、空調ダクト３２においては、当該ダクト３２を構成する各分割ダクト部４０の内部通路４１により、空調空気の流れる通気通路３７が形成されている。
【００４４】
続いて、第２ダクト部３６の構成について図４に加え図５を用いながら説明する。図５は、図３のＢ−Ｂ線断面図である。なお、第２ダクト部３６が「所定ダクト部」に相当し、第２ダクト部３６（分割ダクト部４０ｂ）の内部通路４１が「ダクト内空間」に相当する。
【００４５】
第２ダクト部３６は、上述したように、分割ダクト部４０ｂにより構成されている。図４及び図５に示すように、分割ダクト部４０ｂは、壁部４２として、内部通路４１を挟んで水平方向に対向する一対の側壁部４２ａ，４２ｂと、内部通路４１を挟んで上下方向に対向する上壁部４２ｃ及び下壁部４２ｄとを有する。各側壁部４２ａ，４２ｂは、第１方向Ｘに対向しており、各側壁部４２ａ，４２ｂのうち、側壁部４２ａが第１方向Ｘにおける第１ダクト部３５の上流側に位置し、側壁部４２ｂが第１方向Ｘにおける第１ダクト部３５の下流側に位置している。各側壁部４２ａ，４２ｂと上壁部４２ｃ及び下壁部４２ｄとは内部通路４１を囲むように設けられ、これら各壁部４２ａ〜４２ｄにより第２ダクト部３６の「周壁部」が構成されている。なお、各側壁部４２ａ，４２ｂが「一対の対向壁部」に相当する。
【００４６】
分割ダクト部４０ｂは、さらに、壁部４２として、内部通路４１を挟んで開口部４４と対向する位置に端壁部４２ｅを有している。端壁部４２ｅは、第２ダクト部３６の下流側の端部を構成しており、一対の側壁部４２ａ，４２ｂと上壁部４２ｃと下壁部４２ｄとにそれぞれ接続されている。
【００４７】
上記各壁部４２ａ〜４２ｅのうち、各側壁部４２ａ，４２ｂと端壁部４２ｅとにはそれぞれ吹出口３８が形成されている。具体的には、側壁部４２ａに吹出口３８ｂが形成され、端壁部４２ｅに吹出口３８ｃが形成され、側壁部４２ｂに吹出口３８ｄが形成されている。これら各吹出口３８ｂ〜３８ｄは、壁部４２ａ，４２ｂ，４２ｅを貫通する開口部として形成され、例えば矩形の開口部となっている。また、各吹出口３８ｂ〜３８ｄはいずれも同じ大きさでかつ同じ形状で形成されている。なお、各吹出口３８ｂ〜３８ｄのうち、吹出口３８ｂが第１吹出口に相当し、各吹出口３８ｃ，３８ｄが第２吹出口に相当する。
【００４８】
吹出口３８ｂは、側壁部４２ａの幅方向（第２方向Ｙ）において中央部に配置されている。これと同様に、吹出口３８ｃは、端壁部４２ｅの幅方向（第１方向Ｘ）において中央部に配置され、吹出口３８ｄは、側壁部４２ｂの幅方向（第２方向Ｙ）において中央部に配置されている。また、各吹出口３８ｂ〜３８ｄはいずれも上下方向において同じ位置に配置されている。この場合、各側壁部４２ａ，４２ｂの吹出口３８ｂ，３８ｄは内部通路４１を挟んで互いに対向している。また、吹出口３８ｂ，３８ｄと第１ダクト部３５との離間距離Ｌ１は、第１ダクト部３５の幅Ｌ２よりも小さくなっており、詳しくはＬ２の半分よりも小さくなっている。
【００４９】
なお、第２ダクト部３６において吹出口３８ｂ〜３８ｄの空気吹出側には吹出グリル４６が設けられている（図５参照）。そのため、各吹出口３８ｂ〜３８ｄから空調空気が吹き出す際には吹出グリル４６を介して吹き出すようになっている。
【００５０】
ところで、第２ダクト部３６には、第１ダクト部３５から空調空気が流れ込み、その流れ込んだ空調空気が各吹出口３８ｂ〜３８ｄからそれぞれ吹き出されることになる。ここで、第１ダクト部３５では、空調空気が第１方向Ｘに流れているため、その第１ダクト部３５から流れ込む空調空気は第２ダクト部３６において第１方向Ｘにおける第１ダクト部３５の下流側、つまり側壁部４２ｂ側に偏って流れることが考えられる。そうすると、各吹出口３８ｂ〜３８ｄのうち、側壁部４２ｂ側の吹出口３８ｄからは空調空気が多く吹き出される一方、側壁部４２ａ側の吹出口３８ｂからは空調空気が少ししか吹き出されない等、各吹出口３８ｂ〜３８ｄから吹き出される空調空気の吹出量（風量）に不均一が生じることが想定される。そこで、本実施形態では、その点を鑑み、各吹出口３８ｂ〜３８ｄから空調空気を所望の風量で吹き出させるべく、特徴的な構成を設けている。以下においては、その特徴的な構成について説明する。
【００５１】
図４及び図５に示すように、分割ダクト部４０ｂの内部通路４１には、板状の仕切部材５０が設けられている。仕切部材５０は、所定の厚みを有する平板状の鋼板により形成され、内部通路４１を、吹出口３８ｂに通じる上流側の第１空間部５１と、各吹出口３８ｃ，３８ｄに通じる下流側の第２空間部５２とに仕切っている。仕切部材５０は、内部通路４１において分割ダクト部４０ｂの側壁部４２ｂ側から側壁部４２ａ側に向かうにつれ端壁部４２ｅ側に近づくよう、各側壁部４２ａ，４２ｂに対して斜めに配置され、詳しくは平面視において内部通路４１の対角線に沿って配置されている。この仕切部材５０により、分割ダクト部４０ｂ（第２ダクト部３６）の内部通路４１が、第１ダクト部３５の内部空間と連続する上流側の第１空間部５１と、第１ダクト部３５の内部空間と連続しない下流側の第２空間部５２とに仕切られている。
【００５２】
仕切部材５０は、その横幅方向の両端部が分割ダクト部４０ｂの側壁部４２ｂ及び端壁部４２ｅに当接している。詳しくは、仕切部材５０は、横幅方向の両端面５０ａ，５０ｂがそれぞれ厚み方向に対して傾斜した傾斜面とされ、それら各端面５０ａ，５０ｂのうち端面５０ａが側壁部４２ｂの内面と平行とされ、端面５０ｂが端壁部４２ｅの内面と平行とされている。そして、各端面５０ａ，５０ｂはそれぞれ側壁部４２ｂの内面及び端壁部４２ｅの内面と当接しており、その当接状態で接着剤により側壁部４２ｂの内面及び端壁部４２ｅの内面に接着固定されている。これにより、仕切部材５０が内部通路４１において斜めの向きで配設されているにもかかわらず、仕切部材５０を安定した状態で配設することが可能となっている。
【００５３】
また、仕切部材５０は、分割ダクト部４０ｂの上壁部４２ｃ及び下壁部４２ｄに跨がるようにして配置されている。これにより、仕切部材５０は、その周縁部全域において分割ダクト部４０ｂの内面に当接又は近接した状態で配置されている。
【００５４】
仕切部材５０には、当該仕切部材５０を厚み方向に貫通する複数の通気孔５５が設けられている。これらの通気孔５５は円形状であり、いずれも同じ大きさで形成されている。通気孔５５は、仕切部材５０の横幅方向に所定の間隔（等間隔）で複数配置され、かつ、仕切部材５０の上下方向（高さ方向）に所定の間隔（等間隔）で複数配置されている。これらの通気孔５５により、第１空間部５１と第２空間部５２とが連通されている。なお、通気孔５５は、必ずしも円形状とする必要はなく、四角形状としたりスリット状としたりする等、形状は任意としてよい。また、通気孔５５の数や配置態様等は各吹出口３８ｂ〜３８ｄから吹き出す空調空気の風量に応じて適宜決定すればよい。
【００５５】
次に、上記仕切部材５０の作用について説明する。
【００５６】
図４に示すように、空調空気が第１ダクト部３５から第２ダクト部３６（内部通路４１の第１空間部５１）に流れ込むと、その空調空気は仕切部材５０の板面に沿って吹出口３８ｂの側に導かれる。これにより、空調空気が第２ダクト部３６において側壁部４２ｂ側（つまり吹出口３８ｂから離間した側）に偏流し易い上述の構成にあっても、その空調空気を吹出口３８ｂ側へ導き当該吹出口３８ｂより居室１１に吹き出させることが可能となる。
【００５７】
また、仕切部材５０には、複数の通気孔５５が設けられているため、一部の空調空気についてはそれらの通気孔５５を通じて第２空間部５２へ導くことができる。そのため、その一部の空調空気については第２空間部５２と連続する各吹出口３８ｃ，３８ｄより居室１１及び寝室１３に吹き出させることができる。これにより、複数の吹出口３８ｂ〜３８ｄが設けられた構成にあって、それら各吹出口３８ｂ〜３８ｄより所望の風量で空調空気を吹き出すことが可能となる。したがって、例えば、各吹出口３８ｂ〜３８ｄより均一の風量で空調空気を吹き出すといったことが可能となる。
【００５８】
以上、詳述した本実施形態の構成によれば、以下の優れた効果が得られる。
【００５９】
仕切部材５０と、その仕切部材５０に設けた通気孔５５とによって、各吹出口３８ｂ〜３８ｄから所望の風量で空調空気を吹き出すことを可能とした本実施形態の構成では、側壁部４２ａ，４２ｂに対する仕切部材５０の傾き（傾斜角度）や、通気孔５５の数や大きさ（総面積）等を調整することで、各吹出口３８ｂ〜３８ｄからの空調空気の風量を比較的容易に調整することが可能となる。そのため、その点においても、上記の構成は優れたものであるといえる。
【００６０】
仕切部材５０を、第２ダクト部３６の内部（内部通路４１）において、第１方向Ｘに対向する各側壁部４２ａ，４２ｂのうち、側壁部４２ｂの側から側壁部４２ａの側に向かうにつれて端壁部４２ｅに近づくよう（換言すると、内部通路４１の上流側から下流側に変位するよう）、側壁部４２ａ，４２ｂに対して斜めに設けた。この場合、空調空気が内部通路４１において側壁部４２ｂ側に偏流する構成にあっても、その空調空気を仕切部材５０に沿って側壁部４２ａ側の吹出口３８ｂに円滑に導くことができる。そのため、吹出口３８ｂからの吹出量（風量）の低下を好適に抑制することができる。
【００６１】
第１ダクト部３５から第２ダクト部３６に流れ込む空調空気は当該第２ダクト部３６に流れ込んだ直後において特に偏流（側壁部４２ｂ側への偏流）が生じ易いと考えられる。そのため、側壁部４２ａ側の吹出口３８ｂ（第１吹出口に相当）が第２ダクト部３６において第１ダクト部３５付近に設けられている場合には、吹出口３８ｂからの空調空気の吹出量（風量）が著しく少なくなるおそれがある。また、側壁部４２ｂ側の吹出口３８ｄ（第２吹出口に相当）が第２ダクト部３６において第１ダクト部３５付近に設けられている場合には、吹出口３８ｄからの空調空気の吹出量（風量）が著しく多くなるおそれがある。その点、上記の実施形態では、こうした構成に、仕切部材５０を用いた上記の構成を適用しているため、かかる場合にも、各吹出口３８ｂ〜３８ｄから所望の風量で空調空気を吹き出すことが可能となる。
【００６２】
また、第２ダクト部３６において下流側の端部を構成する端壁部４２ｅに、さらに吹出口３８ｅ（第２吹出口に相当）を設け、仕切部材５０により、第２ダクト部３６の内部通路４１を、吹出口３８ｅと側壁部４２ｂ側の吹出口３８ｄとに通じる第２空間部５２と、側壁部４２ａ側の吹出口３８ｂに通じる第１空間部５１とに仕切った。この場合、３つの吹出口３８ｂ〜３８ｄを有する構成にあって、各吹出口３８ｂ〜３８ｄから所望の風量で空調空気を吹き出すことが可能となる。
【００６３】
空調ダクト３２を複数の分割ダクト部４０により構成し、それら分割ダクト部４０のうち、分割ダクト部４０ｂに仕切部材５０を設けた。この場合、仕切部材５０を空調ダクト３２内に配設する際は分割ダクト部４０ｂの内部に配設すればよいため、仕切部材５０の配設作業を容易とすることができる。
【００６４】
本発明は上記実施形態に限らず、例えば次のように実施されてもよい。
【００６５】
・上記実施形態では、第２ダクト部３６に、第２吹出口として２つの吹出口３８ｃ，３８ｄを設けたが、これらの吹出口３８ｃ，３８ｄのうちいずれか一方の吹出口のみ設けるようにしてもよい。この場合にも、その一方の吹出口と吹出口３８ｂ（第１吹出口）とからそれぞれ所望の風量で空調空気を吹き出すことが可能となる。
【００６６】
・また、第２吹出口として、（端壁部４２ｅ側の）吹出口３８ｃのみ設ける場合（つまり吹出口３８ｄを設けないようにする場合）に、各側壁部４２ａ，４２ｂに対する仕切部材５０の傾きを上記実施形態の場合に対して変えるようにしてもよい。例えば、仕切部材５０を、端壁部４２ｅに対して平行となる側に傾きを変えることが考えられる。この場合にも、仕切部材５０により、第２ダクト部３６の内部通路４１を、吹出口３８ｂに通じる第１空間部５１と、吹出口３８ｃに通じる第２空間部５２とに仕切るようにすれば、各吹出口３８ｂ，３８ｃからの空調空気の風量を所望の風量とすることが可能となる。
【００６７】
なお、仕切部材５０により、内部通路４１を、吹出口３８ｂに通じる第１空間部５１と、吹出口３８ｃに通じる第２空間部５２とに仕切るようにすれば、仕切部材５０を側壁部４２ａ，４２ｂに対して直交するように配置してもよい。その場合でも、第２ダクト部３６（内部通路４１の第１空間部５１）に流れ込む空調空気は仕切部材５０に当たって吹出口３８ｂへと導かれるため、各吹出口３８ｂ，３８ｃからの風量を所望の風量とすることが可能となる。
【００６８】
・第２ダクト部３６を、複数の分割ダクト部４０ｂにより構成してもよい。この場合、複数の分割ダクト部４０ｂを第２方向Ｙに並べて第２ダクト部３６を構成することとなる。また、かかる構成において、最も下流側の分割ダクト部４０ｂに各吹出口３８ｂ〜３８ｄを設けるとともに、仕切部材５０を設けるようにしてもよい。その場合にも、偏流が生じる第２ダクト部３６において、各吹出口３８ｂ〜３８ｄから所望の風量で空調空気を吹き出すことが可能となる。なお、この場合、第２ダクト部３６が「所定ダクト部」に相当し、第２ダクト部３６を構成する各分割ダクト部４０ｂの内部通路４１により「ダクト内空間」が形成される。
【００６９】
・上記実施形態では、第２ダクト部３６を第１ダクト部３５から分岐させて設けたが、例えば、第２ダクト部３６を第１ダクト部３５における下流側の端部に連結し第１ダクト部３５と第２ダクト部３６とにより一の通気経路を有するＬ字状の空調ダクトを構成してもよい。この場合にも、第２ダクト部３６には、第１方向Ｘ（所定方向に相当）に流れる空調空気が流れ込むことになるため、第２ダクト部３６では第１方向Ｘ下流側への偏流が生じると考えられる。そのため、第２ダクト部３６に仕切部材５０を設けることで、各吹出口３８ｂ〜３８ｄからの空調空気の風量を所望の風量とすることが可能となる。
【００７０】
・上記実施形態では、互いに交差する方向に延びる第１ダクト部３５及び第２ダクト部３６を有する空調ダクト３２に本発明のダクト構造を適用したが、その他の構成からなる空調ダクトに本発明を適用してもよい。例えば、円弧状をなすように緩やかに曲がる曲がり部を有した空調ダクトに本発明を適用することが考えられる。かかる空調ダクトでも、曲がり部の下流側では、偏流が生じることが想定されるため、曲がり部の下流側で吹出口が複数設けられていると、各吹出口（第１吹出口及び第２吹出口）からの空気の吹出量が不均一となることが想定される。このため、かかる構成において、曲がり部の下流側に仕切部材５０を設け、その仕切部材５０により、空調ダクト内を第１吹出口に通じる第１空間部と、第２吹出口に通じる第２空間部とに仕切るようにすれば、この場合にも、各吹出口からの空調空気の風量を所望の風量とすることが可能となる。なお、この場合、空調ダクトが「所定ダクト部」に相当し、空調ダクトの内部空間が「ダクト内空間」に相当する。
【００７１】
また、空調ダクトが直線状に延びる直線部であっても、例えばダクト内の断面積が途中で大小変化する部分を有する場合には、その変化部分の下流側で偏流が生じる可能性がある。そうすると、当該変化部分の下流側に吹出口が複数設けられていると、各吹出口からの風量にやはり不均一が生じるおそれがある。そのため、こうした構成に、仕切部材を設けることで、各吹出口からの風量を所望の風量となるようにしてもよい。
【００７２】
・上記実施形態では、空調ダクト３２を短尺状の分割ダクト部４０を複数連結することで構成したが、空調ダクト３２を長尺ダクト（長尺管）を有して構成してもよい。例えば、空調ダクト３２の第１ダクト部３５を一の長尺ダクトにより構成することが考えられる。
【００７３】
・上記実施形態では、仕切部材５０を平板状に形成したが、例えば仕切部材５０を湾曲板状に形成してもよい。この場合、仕切部材５０を側壁部４２ｂ側から側壁部４２ａ側に向かうにつれ内部通路４１の上流側から下流側に変位するよう湾曲させて設けることが考えられる。具体的には、仕切部材５０を第２空間部５２側に凸となるように湾曲させて設けることが考えられる。この場合にも、第２ダクト部３６（第１空間部５１）に流れ込む空調空気を仕切部材５０に沿って側壁部４２ａ側の吹出口３８ｂに円滑に導くことができる。
【００７４】
・上記実施形態では、仕切部材５０を鋼板（金属製の板材）により形成したが、樹脂製の板材等、他の材料からなる板材で形成してもよい。また、仕切部材５０を板状の網状体（例えば金網）により形成してもよい。この場合、網状体の網目が第１空間部と第２空間部とを連通する通気孔となる。
【００７５】
・上記実施形態では、空調装置３１により生成した空調空気を搬送する空調ダクト３２に本発明のダクト構造を適用したが、例えば屋外から取り込んだ外気を換気用の空気として屋内空間に搬送する換気ダクトに本発明を適用してもよい。換気ダクトにも、換気用の空気を屋内空間に吹き出す吹出口が複数設けられる場合が想定され、その場合に本発明を適用すれば、これら各吹出口から空気を所望の風量で吹き出すことが可能となる。
【符号の説明】
【００７６】
１０…建物、３１…空調装置、３２…通気ダクトとしての空調ダクト、３５…第１ダクト部、３６…所定ダクト部としての第２ダクト部、３８…吹出口、３８ｂ…第１吹出口としての吹出口、３８ｃ，３８ｄ…第２吹出口としての吹出口、４０…分割ダクト部、５０…仕切部材、５１…第１空間部、５２…第２空間部、５５…通気孔。
【図１】
2018194250.tif 000003
【図２】
2018194250.tif 000004
【図３】
2018194250.tif 000005
【図４】
2018194250.tif 000006
【図５】
2018194250.tif 000007